【事件の表示】
　特許第３１３６５９８号「粉粒体供給機」の請求項１に係る特許に対する特許異議の申立てについて、次のとおり決定する。
【結　論】
　訂正を認める。
　特許第３１３６５９８号の請求項１に係る特許を維持する。
【理　由】
１．手続の経緯　　　　　　　　　　　　　　　　　　　　　　　　　　
　本件特許第３１３６５９８号の請求項１に係る発明は、平成２年８月３日に特許出願され、平成１２年１２月８日にその特許権の設定登録がなされ、その後、ヤンマー農機株式会社より特許異議の申立てがなされ、平成１３年１１月７日付けで取消理由通知がなされ、その指定期間内である平成１３年１２月２８日に訂正請求がなされたものである。
　　　　　　　　　　　　　　　　　　　　　　　　　　　　　　　　　
２．訂正の適否についての判断　　　　　　　　　　　　　　　　　　　
（1）訂正の内容　　　　　　　　　　　　　　　　　　　　　　　　　　
訂正事項ａ　　　　　　　　　　　　　　　　　　　　　　　　　　　　
特許請求の範囲の請求項１の記載を以下のとおり訂正。　　　　　　　　　
【請求項１】　繰出体１３により繰出された粒状体を水田の泥面を滑走しながら動作するフロート１０に取付けた作溝器２９に移送して水田に粒状体を供給する粉粒体供給機において、繰出された粒状体を作溝器２９に移送するホース３１と作溝器２９とを蛇腹式の伸縮部３０ａを介して連結し、伸縮部３０ａ内には作溝器２９の上部開ロ部との間に空隙を有する状態で作溝器２９内まで延びるパイプ３０ｂを伸縮部３０ａと一体形成して設けて該パイプ３０ｂ内を通って粒状体が伸縮部３０ａを通過し作溝器２９に移送される構成としたことを特徴とする粉粒体供給機。
　　　　　　　　　　　　　　　　　　　　　　　　　　　　　　　　　
訂正事項ｂ
明細書の［課題を解決するための手段］の記載を以下のとおり訂正。　
［課題を解決するための手段］
　この発明は、上記課題を解決するために、繰出体１３により繰出された粒状体を水田の泥面を滑走しながら動作するフロート１０に取付けた作溝器２９に移送して水田に粒状体を供給する粉粒体供給機において、繰出された粒状体を作溝器２９に移送するホース３１と作溝器２９とを蛇腹式の伸縮部３０ａを介して連結し、伸縮部３０ａ内には作溝器２９の上部開□部との間に空隙を有する状態で作溝器２９内まで延びるパイプ３０ｂを伸縮部３０ａと一体形成して設けて該パイプ３０ｂ内を通って粒状体が伸縮部３０ａを通過し作溝器２９に移送される構成としたことを特徴とする粉粒体供給機とした。
訂正事項ｃ　　　　　　　　　　　　　　　　　　　　　　　　　　　　
明細書の［発明の作用及び効果］の記載を以下のとおり訂正。　　　　　　［発明の作用及び効果］　　　　　　　　
　この発明によると、繰出された粒状体を作溝器２９に移送するホース３１と作溝器２９とを蛇腹式の伸縮部３０ａを介して連結し、伸縮部３０ａ内には作溝器２９の上部開□部との間に空隙を有する状態で作溝器２９内まで延びるパイフ３０ｂを伸縮部３０ａと一体形成して設けたので、作溝器２９内までパイプ３０ｂを延ばしたにもかかわらず、フロート１０の動作に伴う作溝器２９の動作がパイプ３０bにより大きく規制されてしまうことを防止でき、フロート１０が泥面を滑走するのにともなって動作しても伸縮部３０ａは適切に伸縮作用し、粒状体を移送するホース３１がフロート１０の動作を妨げず、従って、作溝器に２９よる作溝が適確に行え粒状体の水田土壌への供給が良好に行えるようになる。しかも、伸縮部３０ａを通過する粒状体は、伸縮部３０ａ内を作溝器２９内まで延びるパイプ３０ｂ内を通って作溝器２９に移送されるので、蛇腹式の伸縮部３０ａの内側に粒状体が堆積して伸縮部３０ａの伸縮が良好に行われにくなる問題を良好に回避できる。
　　　　　　　　　　　　　　　　　　　　　　　　　　　　　　　　　
（2）訂正の目的の適否、新規事項の有無及び拡張・変更の存否　 　　　
　上記訂正事項ａは、請求項１に係る発明を特定する事項である「パイプ」について、「伸縮部と一体形成して」の構成を限定するものであるから、特許請求の範囲の減縮を目的とした明細書の訂正に該当する。また、上記訂正事項b及びcは、前記特許請求の範囲の減縮に伴って、減縮された特許請求の範囲の記載と発明の詳細な説明の記載との整合を図るものであるから、明瞭でない記載の釈明を目的とした明細書の訂正に該当し、いずれも、新規事項の追加に該当せず、実質上特許請求の範囲を拡張し、変更するものではない。　　　　　　　　　　　　　　　　　
　　　　　　　　　　　　　　　　　　　　　　　　　　　　　　　　　
（3）むすび　　　　　　　　　　　　　　　　　　　　　　　　　　　　
　したがって、上記訂正は特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。 　　　　　　　　　　　　　　　　　　　
　　　　　　　　　　　　　　　　　　　　　　　　　　　　　　　　　
３．特許異議申立てについての判断　　　　　　　　　　　　　　　　　
（１）申立ての理由の概要 　　　　　　　　　　　　　　　　　　　　　
　特許異議申立人ヤンマー農機株式会社は、本件の請求項１に係る発明の特許に対して、証拠として下記の甲第１号証及び甲第２号証を提示し、本件の請求項１に係る発明は、甲第１号証及び甲第２号証に記載された発明に基いて当業者が容易に成し得たものであるから、その特許は特許法第２９条第２項の規定に違反してなされたものであり、取り消されるべきである旨を主張している。
　　　　　　　　　　　　　　　　 記　　　　　　　　　　　　　　　　
甲第１号証：実願昭６３−１３０６９９号（実開平２−５２５１５号）の願　　　　　　書に添付した明細書及び図面の内容を撮影したマイクロフィル　　　　　　ム　　　　　　　　　　　　
甲第２号証：実願昭５６−５０２７８号（実開昭５７−１６１３１８号）の　　　　　　願書に添付した明細書及び図面の内容を撮影したマイクロフィ　　　　　　ルム　　　　　　　　　　　　　　　　　　　　　　　　　
　　　　　　　　　　　　　　　　　　　　　　　　　　　　　　　　　
（２）本件の請求項１に係る発明 　　　　　　　　　　　　　　　　　　
　上記２．で示したように上記訂正が認められるので、本件の請求項１に係る発明（以下、「本件発明」という）は、上記訂正に係る訂正明細書の特許請求の範囲の請求項１に記載されたとおりのものと認める（上記２．（１）訂正事項ａ参照）。　　　　　　　　　　　　　　　　　　　　　　　　　　　　　　　　　　　　　　　　　　　　　　　　　　　　　　　　　　
（３）甲号各証に記載の発明　　　　　　　　　　　　　　　　　　　　
　特許異議申立人が提示した甲号各証には、以下の発明が記載されている。
甲第１号証（実願昭６３−１３０６９９号（実開平２−５２５１５号）の願　　　　　　書に添付した明細書及び図面の内容を撮影したマイクロフィル　　　　　　ム、当審が通知した取消しの理由で引用した刊行物１）
甲第１号証には、以下の記載がある。
（1-a）「作溝器（12）を固定した接地フロート（6）を苗植付装置（7）に対して上下動自在に取り付け、この苗植付装置（7）の上部に施肥装置（9）を固定・・・田植機の作溝器構造」（第１頁第５−１３行）
（1-b）「施肥装置（9）は肥料貯留用のタンク（10）及びタンク（10）内の肥料を間欠的に繰出す繰出し部（11）とから構成されており、・・・作溝器（12）は・・・接地フロート（6）に連結固定されている。そして、作溝器（12）の上部にはゴム製で円筒ジャバラ状の伸縮筒部材（15）が取り付けられており、繰出し部（11）から延出されたビニール製のホース（16）が伸縮筒部材（15）内に挿入されている」（第６頁末行−第７頁第１２行）
上記記載（1-a及び1-b）より刊行物１には以下の発明（以下、「引用発明１」という）が記載されていると認められる。　　　　　　　　　
「作溝器（12）を固定した接地フロート（6）を苗植付装置（7）に対して上下動自在に取り付け、この苗植付装置（7）の上部に施肥装置（9）を固定し、前記施肥装置（9）は肥料貯留用のタンク（10）及びタンク（10）内の肥料を間欠的に繰出す繰出し部（11）とから構成されており、作溝器（12）の上部にはゴム製で円筒ジャバラ状の伸縮筒部材（15）が取り付けられており、繰出し部（11）から延出されたビニール製のホース（16）が伸縮筒部材（15）内に挿入されている、田植機の作溝器構造」
また甲第１号証の図面第１、３及び６図より、引用発明１において、「ホース（16）」は「円筒ジャバラ状の伸縮筒部材（15）」に挿入され、該「円筒ジャバラ状の伸縮筒部材（15）」を経て、「作溝器（12）」の上部開口部との間に空隙を有する状態で、「作溝器（12）」内まで延びているといえる。
甲第２号証（実願昭５６−５０２７８号（実開昭５７−１６１３１８号）の　　　　　　願書に添付した明細書及び図面の内容を撮影したマイクロフィ　　　　　　ルム、当審が通知した取消しの理由で引用した刊行物２）
甲第２号証には、以下の記載がある。
（2-a）「苗の植付位置・・・には作溝器・・・を配置してそれぞれフロートに装設し・・・機体上方側から垂設する施肥パイプの下端部を前記作溝器の受入口内に遊びをもたせて嵌挿し構成した・・・田植機における施肥装置」（第１頁第５−１４行）
（2-b）「苗載台（10）の前方における機体上部には・・・肥料タンク（17）を装設し、該肥料タンク（17）の下部における繰出し部（17a）から両施肥パイプ（4）（4）をそれぞれ垂設し、両施肥パイプ（4）（4）の下端部に嵌着した放出管（4a）（4a）を両作溝器（B）（B）における受入口（3）（3）内に遊びをもたせて上下動できるようそれぞれ嵌入して構成する。」（第４頁第６−１２行）　　　
上記記載（2-a及び2-b）より刊行物２には以下の発明（以下、「引用発明２」という）が記載されていると認められる。
「フロートに装設した作溝器（B）（B）の受入口（3）（3）内に、肥料タンク（17）の下部の繰出し部（17a）から垂設した施肥パイプ（4）（4）の下端部に嵌着した放出管（4a）（4a）を、遊びをもたせて上下動できるよう嵌入した、田植機における施肥装置」
　　　　　　　　　　　　　　　　　　　　　　　　　　　　　　　　　
（４）対比・判断
　本件発明と引用発明１とを対比すると、
引用発明１における、「繰出し部」、「肥料」、「接地フロート」、「作溝器」、「施肥装置」、「ホース」及び「円筒ジャバラ状の伸縮筒部材」は、それぞれ本件発明における、「繰出体」、「粒状体」、「フロート」、「作溝器」、「粉粒体供給機」、「ホース」及び「蛇腹式の伸縮部」に対応している。ここで引用発明１において、「ホース」は「円筒ジャバラ状の伸縮筒部材」に挿入されており、この挿入部は「作溝器」の上部開口部との間に空隙を有する状態で「作溝器」内まで延びており、「ホース」の本体と「作溝器」とを連結する連結部として機能していると共に、連結部である該挿入部を通って「肥料」が「伸縮筒部材」を通過し作溝器に移送されるものである。一方本件発明において、「ホース」と「作溝器」とを連結する「パイプ」も連結部の概念に包含されるから、両者は以下の点で一致し、また相違している。
一致点：
繰出体により繰出された粒状体を水田の泥面を滑走しながら動作するフロートに取付けた作溝器に移送して水田に粒状体を供給する粉粒体供給機において、繰出された粒状体を作溝器に移送するホースと作溝器とを蛇腹式の伸縮部を介して連結するための連結部を伸縮部内に有し、該連結部は、作溝器の上部開ロ部との間に空隙を有する状態で作溝器内まで延びており、該連結部を通って粒状体が伸縮部を通過し作溝器に移送される構成とした粉粒体供給機。
相違点：
連結部が、本件発明では伸縮部と一体形成して設けたパイプである（以下、これを「相違点の構成」という）のに対して、引用発明１では、円筒ジャバラ状の伸縮筒部材（蛇腹式の伸縮部）に挿入されたホースである点。
　上記相違点について検討する。
　引用発明２は、「作溝器（B）（B）の受入口（3）（3）内に嵌着した放出管（4a）（4a）」を備えており、該「放出管（4a）（4a）」は「施肥パイプ（4）（4）」と「作溝器（B）（B）」とを連結する連結部位に設けられているという点では相違点の構成における「パイプ」と共通しているが、該「放出管（4a）（4a）」は「作溝器（B）（B）の受入口（3）（3）内」に、「遊びをもたせて上下動できるよう嵌入」されており、「作溝器（B）（B）の受入口（3）（3）」に一体形成されてはいないので、引用発明２は上記相違点の構成を開示してはおらず、また示唆してもいない。
　そして、本件発明１は、上記相違点の構成としたことにより、訂正明細書に記載された、「伸縮部３０ａ内には作溝器２９の上部開□部との間に空隙を有する状態で作溝器２９内まで延びるパイフ３０ｂを伸縮部３０ａと一体形成して設けたので、作溝器２９内までパイプ３０ｂを延ばしたにもかかわらず、フロート１０の動作に伴う作溝器２９の動作がパイプ３０bにより大きく規制されてしまうことを防止でき、フロート１０が泥面を滑走するのにともなって動作しても伸縮部３０ａは適切に伸縮作用し、粒状体を移送するホース３１がフロート１０の動作を妨げず、従って、作溝器に２９よる作溝が適確に行え粒状体の水田土壌への供給が良好に行えるようになる。しかも、伸縮部３０ａを通過する粒状体は、伸縮部３０ａ内を作溝器２９内まで延びるパイプ３０ｂ内を通って作溝器２９に移送されるので、蛇腹式の伸縮部３０ａの内側に粒状体が堆積して伸縮部３０ａの伸縮が良好に行われにくなる問題を良好に回避できる。」という作用効果を奏するものである。
   したがって、本件発明は引用発明１及び引用発明２に基いて当業者が容易に成し得た発明ではない。
　　　　　　　　　　　　　　　　　　　　　　　　　　　　　　　　　
（５）むすび
　以上のとおりであるから、特許異議の申立ての理由によっては本件発明についての特許を取り消すことはできない。　　　　
　また、他に本件発明についての特許を取り消すべき理由を発見しない。
　したがって、本件発明についての特許は拒絶の査定をしなけらばならない特許出願に対してされたものと認めない。　　　　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年６月２８日（２００２．６．２８）
【訂正の要旨】
訂正の要旨
訂正事項ａ
特許請求の範囲の請求項１の記載を以下のとおり訂正。
　【請求項１】　繰出体１３により繰出された粒状体を水田の泥面を滑走しながら動作するフロート１０に取付けた作溝器２９に移送して水田に粒状体を供給する粉粒体供給機において、繰出された粒状体を作溝器２９に移送するホース３１と作溝器２９とを蛇腹式の伸縮部３０ａを介して連結し、伸縮部３０ａ内には作溝器２９の上部開口部との間に空隙を有する状態で作溝器２９内まで延びるパイプ３０ｂを伸縮部３０ａと一体形成して設けて該パイプ３０ｂ内を通って粒状体が伸縮部３０ａを通過し作溝器２９に移送される構成としたことを特徴とする粉粒体供給機。
訂正事項ｂ
明細書の［課題を解決するための手段］の記載を以下のとおり訂正。
［課題を解決するための手段］
　この発明は、上記課題を解決するために、繰出体１３により繰出された粒状体を水田の泥面を滑走しながら動作するフロート１０に取付けた作溝器２９に移送して水田に粒状体を供給する粉粒体供給機において、繰出された粒状体を作溝器２９に移送するホース３１と作溝器２９とを蛇腹式の伸縮部３０ａを介して連結し、伸縮部３０ａ内には作溝器２９の上部開口部との間に空隙を有する状態で作溝器２９内まで延びるパイプ３０ｂを伸縮部３０ａと一体形成して設けて該パイプ３０ｂ内を通って粒状体が伸縮部３０ａを通過し作溝器２９に移送される構成としたことを特徴とする粉粒体供給機とした。
訂正事項ｃ
明細書の［発明の作用及び効果］の記載を以下のとおり訂正。
［発明の作用及び効果］
　この発明によると、繰出された粒状体を作溝器２９に移送するホース３１と作溝器２９とを蛇腹式の伸縮部３０ａを介して連結し、伸縮部３０ａ内には作溝器２９の上部開口部との間に空隙を有する状態で作溝器２９内まで延びるパイフ３０ｂを伸縮部３０ａと一体形成して設けたので、作溝器２９内までパイプ３０ｂを延ばしたにもかかわらず、フロート１０の動作に伴う作溝器２９の動作がパイプ３０ｂにより大きく規制されてしまうことを防止でき、フロート１０が泥面を滑走するのにともなって動作しても伸縮部３０ａは適切に伸縮作用し、粒状体を移送するホース３１がフロート１０の動作を妨げず、従って、作溝器に２９よる作溝が適確に行え粒状体の水田土壌への供給が良好に行えるようになる。しかも、伸縮部３０ａを通過する粒状体は、伸縮部３０ａ内を作溝器２９内まで延びるパイプ３０ｂ内を通って作溝器２９に移送されるので、蛇腹式の伸縮部３０ａの内側に粒状体が堆積して伸縮部３０ａの伸縮が良好に行われにくなる問題を良好に回避できる。
（５４）【発明の名称】
粉粒体供給機
（５７）【特許請求の範囲】
　【請求項１】繰出体１３により繰出された粒状体を水田の泥面を滑走しながら動作するフロート１０に取付けた作溝器２９に移送して水田に粒状体を供給する粉粒体供給機において、繰出された粒状体を作溝器２９に移送するホース３１と作溝器２９とを蛇腹式の伸縮部３０ａを介して連結し、伸縮部３０ａ内には作溝器２９の上部開口部との間に空隙を有する状態で作溝器２９内まで延びるパイプ３０ｂを
伸縮部３０ａと一体形成して
【発明の詳細な説明】
〔産業上の利用分野〕
　この発明は、施肥機や播種機などの粉粒体供給機に関するものである。
〔従来の技術〕
　従来、繰出体により繰出された粒状体を水田の泥面を滑走しながら動作するフロートに取付けた作溝器に移送して水田に粒状体を供給する粉粒体供給機において、繰出された粒状体を作溝器に移送するホースと作溝器とを蛇腹式の伸縮部を介して連結したものがあった。
〔発明が解決しようとする課題〕
　上記のようにホースと作溝器とを蛇腹式の伸縮部を介して連結することにより、フロートが泥面を滑走するのにともなって動作しても伸縮部が伸縮するので、粒状体を移送するホースがフロートの動作を妨げず、従って、作溝器による作溝が適確に行え粒状体の水田土壌への供給が良好に行えるようになる。しかし、蛇腹式の伸縮部の内側は、粒状体の移送方向に段差があるので、そこに粒状体が溜まって堆積しやすく、それにより、伸縮部の伸縮が良好に行われにくくなる問題があった。
〔課題を解決するための手段〕
　この発明は、上記課題を解決するために、繰出体１３により繰出された粒状体を水田の泥面を滑走しながら動作するフロート１０に取付けた作溝器２９に移送して水田に粒状体を供給する粉粒体供給機において、繰出された粒状体を作溝器２９に移送するホース３１と作溝器２９とを蛇腹式の伸縮部３０ａを介して連結し、伸縮部３０ａ内には作溝器２９の上部開口部との間に空隙を有する状態で作溝器２９内まで延びるパイプ３０ｂを
伸縮部３０ａと一体形成して
〔発明の作用及び効果〕
　この発明によると、繰出された粒状体を作溝器２９に移送するホース３１と作溝器２９とを蛇腹式の伸縮部３０ａを介して連結し、伸縮部３０ａ内には作溝器２９の上部開口部との間に空隙を有する状態で作溝器２９内まで延びるパイプ３０ｂを
伸縮部３０ａと一体形成して
〔実施例〕
　つぎに、この発明の実施例を説明する。
　第１図のように、走行車体１の後部にリンク２で苗植装置３が連結され、この苗植装置３に施肥装置（粉粒体供給装置）４が装着されて、前輪５と後輪６の回転で水田を推進し、苗の移植と肥料の散布が同時に行なわれる苗植機（粉粒体供給機）となっている。
苗植装置３は、中央部の歯車箱７と、その上に前倒れに設けられて左右に移動している苗載台８と、苗載台８の下端を上から下に向って旋回する苗植杆９と、歯車箱７の下に設けられて泥面上を滑走するフロート１０で構成されている。
　施肥装置４は、苗載台８の後において歯車箱７に取付けられる。そして、第２図のように、苗植装置３が一行程で移植する苗の条数に対応するように、複数が横並びに設けられている。
　それぞれの施肥装置４は、つぎのように構成されている。
　すなわち、第３図のように、肥料を収納するタンク１１の下に横軸１２で回転されるロータ（繰出体）１３が設けられ、このロータ１３の外周の溝１３ａで肥料が繰出される。このロータ１３は、繰出量調節装置１４を備え、つぎのように溝１３ａの横巾を変更して繰出す肥料の量を調節する。
　雄ねじ１５が横軸１２を被うようにしてロータ１３の側部から右に伸び、移動子１６の中央部にねじ込まれている。この移動子１６は、溝１３ａに右から入り込む突子１６ａを備えていて、雄ねじ１５が回るとねじの噛み合で軸方向に移動し、突子１６ａが溝１３ａ内で左右に移動する。雄ねじ１５は、右端が機壁から突出してその端のスプライン１５ａにノブ１７ａ付の歯車１７のスプラインが係合している。歯車１７には左端にリング状の溝１７ｂが有り、これに機壁から伸びた板ばね１８の下端が係合し、ノブ１７ａを右に引くと、歯車１７が板ばね１８を変形して移動するように出来ている。
　調節軸１９が横向に支架され、第２図のように、その左端の歯車２０がモータ２１の歯車２２に噛み合い、中間に固定された複数の歯車２３がそれぞれの施肥装置４の歯車１７に噛み合っている。従って、モータ２１が回転すると、それぞれの歯車２３がそれぞれの歯車１７を回転し、雄ねじ１５が移動子１６を横に移動し、その突子１６ａが溝１３ａ内でスライドして溝１３ａの有効巾を同時に変更するようにできている。なお、モータ２１が停止しているとき、所望のノブ１７ａを右に引いて歯車１７を歯車２３から離し、このノブ１７ａを手で回す。すると、このノブ１７ａの回転で雄ねじ１５が回り、移動子１６を移動させ、そのロータ１３の溝１３ａの有効巾のみを変更することが出来る。
　横軸１２は、それぞれのロ―タ１３に対して共通の一本の軸で構成され、第２図のように、その中央部にラチェット付のレバー２４が設けられている。歯車箱７の後端部で回転しているアーム（図示しない）の先とこのレバー２４の先がロッド２６で連結され、アームの回転で横軸１２が間欠的に回転するように出来ている。
　それぞれのロータ１３の下に複数のホッパー２７が独立して設けられ、そのパイプ部２７ａに通過する肥料の量を計測するセンサ２８が設けられている。
　第１図および第４図のように、ロータ１３と同数の作溝器２９がそれぞれの苗植杆９の横でフロート１０に取付けられる。この作溝器２９にブーツ３０がその上を被うように取付けられている。このブーツ３０は、蛇腹式の伸縮部３０ａと、下端が作溝器２９まで伸びるパイプ３０ｂとが比較的軟いゴムで一体に作られ、それぞれのパイプ部２７ａから伸びるホース３１の下端が挿し込まれている。そして、上端の溝部が歯車箱７に取付けられ、フロート１０が泥面の滑走にともなって後端の軸の回りに回動すると、この伸縮部３０ａが伸縮してこれに順応するように出来ている。
　第５図のように、制御装置３２にそれぞれのセンサ２８からの情報が送られるとともに、設定値が入力３３できるようになっている。この制御装置は、それぞれのセンサ２８から得た肥料の流量の平均値と、入力された設定値とを比較し、その平均値が設定値の許容範囲（限界）を上回ると、モータ２１を正転させ、これが下回ると、モータ２１を逆転させるように、モータ２１と接続している。また、それぞれのセンサ２８の測定値の差が一定の数値を越えると、ブザー３４又はランプなどの警報を発するように構成している。
　なお、モータ２１の作動は、先の平均値に代えてそれぞれのセンサ２８が計測した肥料の流量の総和で行うこともできる。加えて、それぞれのセンサ２８が計測した肥料の流量をモニタに表示する手段を付加しても良い。
【図面の簡単な説明】
　第１図はこの発明を施した粉粒体供給機の側面図、第２図はその一部の背面図、第３図はその一部の拡大した切断背面図、第４図はその一部の拡大した切断側面図、第５図はその一部のブロック回路図である。
　なお、図中の符号は、つぎの通り。
　４……粉粒体調節装置
　１０……フロート
　１３……ロータ（繰出体）
　１４……繰出量調節装置
　２１……モータ
　２８……センサ
　２９……作溝器
　３０……ブーツ
　３０ａ……伸縮部
　３０ｂ……パイプ
　３１……ホース
　３２……制御装置